(57)【要約】  この発明は、簡易な作業で安定した品質で組み立てることができる配電盤の組立設備および配電盤の組立方法を提供するものである。  定盤に載置され、複数の水平母線の基準位置を決める水平母線基準位置決め当て板と、前記定盤に載置され、前記水平母線の高さ位置を決める水平母線高さ位置決め板と、前記水平母線高さ位置決め板の複数の垂直母線が延在して配置される位置に載置され、前記水平母線の水平方向の位置を決める水平母線水平方向位置決め当て板と、を備えたものである。
2017217152.tif 000002
【特許請求の範囲】
【請求項１】
定盤に載置され、複数の水平母線の基準位置を決める水平母線基準位置決め当て板と、前記定盤に載置され、前記水平母線の高さ位置を決める水平母線高さ位置決め板と、前記水平母線高さ位置決め板の複数の垂直母線が延在して配置される位置に載置され、前記水平母線の水平方向の位置を決める水平母線水平方向位置決め当て板と、を備えたことを特徴とする配電盤の組立設備。
【請求項２】
前記水平母線水平方向位置決め当て板に載置され、前記垂直母線の位置を決める垂直母線位置決め冶具を備えたことを特徴とする請求項１に記載の配電盤の組立設備。
【請求項３】
前記水平母線水平方向位置決め当て板にはピン穴が複数形成され、前記垂直母線位置決め冶具の裏面側には前記水平母線水平方向位置決め当て板のピン穴に係合される係合ピンが設けられ、前記垂直母線位置決め冶具の表面側には前記垂直母線の位置を決める位置決め用ピンが設けられたことを特徴とする請求項２に記載の配電盤の組立設備。
【請求項４】
前記垂直母線はＬ字形状であることを特徴とする請求項１から請求項３のいずれか１項に記載の配電盤の組立設備。
【請求項５】
複数の垂直母線にそれぞれ接続する接続ブロックを有する複数の水平母線を定盤に載置された水平母線高さ位置決め板の水平母線水平方向位置決め当て板の間に挿通させて水平母線基準位置決め当て板に当接させる工程と、前記水平母線と直交して延在する複数の前記垂直母線を前記水平母線の前記接続ブロックの位置にくるように配置する工程と、を備えたことを特徴とする配電盤の組立方法。
【請求項６】
前記水平母線水平方向位置決め当て板に載置された垂直母線位置決め冶具に前記垂直母線の位置決めを行う第１の垂直母線取付具を取り付け、前記第１の垂直母線取付具に前記垂直母線を係合させて位置を決め、前記垂直母線を挟むよう第２の垂直母線取付具を取り付け、前記垂直母線を前記第１の垂直母線取付具と前記第２の垂直母線取付具により固定する工程と、前記水平母線の前記接続ブロックと前記垂直母線とを接続する工程と、を備えたことを特徴とする請求項５に記載の配電盤の組立方法。
【請求項７】
前記垂直母線と前記第１の垂直母線取付具との間、および前記垂直母線と前記第２の垂直母線取付具との間に絶縁部材を配置することを特徴とする請求項６に記載の配電盤の組立方法。
【発明の詳細な説明】
【技術分野】
【０００１】
この発明は、例えば配電盤の複数の水平母線と複数の垂直母線とを組み立てる配電盤の組立設備および配電盤の組立方法に関するものである。
【背景技術】
【０００２】
従来の配電盤においては、図面指示の組立公差内に組み付けるため、組立途中および組立後に測定具を用いて図面指示の組立公差内に組み立てられているかを確認し、組立公差内に組み立てられていなかった場合には組立公差内に入るように水平母線と垂直母線の位置を調整して組み立てている。【０００３】
また、特許文献１（特開平１０−３１３５０９号公報）においては、床面を寸法基準面として組み立てられるが、各部材の位置を決める位置決め部材が無く、この場合においても、組立途中および組立後に測定具を用いて図面指示の組立公差内に組み立てられているかを確認し、組立公差内に組み立てられていなかった場合には組立公差内に入るように各部材の位置を調整して組み立てることになる。
【先行技術文献】
【特許文献】
【０００４】
【特許文献１】特開平１０−３１３５０９号公報
【発明の概要】
【発明が解決しようとする課題】
【０００５】
上述した従来の配電盤は、水平母線の位置を決める部材、および垂直母線の位置を決める部材が無く、水平母線と垂直母線を図面指示の組立公差内に組み付けるため、組立途中および組立後に測定具を用いて図面指示の組立公差内に組み立てられているかを確認し、組立公差内に組み立てられていなかった場合には組立公差内に入るように水平母線と垂直母線の位置を調整して組み立てているので、複数の水平母線と複数の垂直母線とを組み立てるのに多大の時間と労力を要するという問題点があった。【０００６】
また、組立公差内に入るように水平母線と垂直母線の位置を調整して組み立てているので、組み立てられた複数の水平母線と複数の垂直母線は誰が作業しても安定した品質で組み立てられたとは言いづらい面があるという問題点があった。【０００７】
この発明は、上記のような課題を解決するためになされたものであり、その目的は、簡易な作業で安定した品質で組み立てることができる配電盤の組立設備および配電盤の組立方法を提供するものである。
【課題を解決するための手段】
【０００８】
この発明に係わる配電盤の組立設備は、定盤に載置され、複数の水平母線の基準位置を決める水平母線基準位置決め当て板と、前記定盤に載置され、前記水平母線の高さ位置を決める水平母線高さ位置決め板と、前記水平母線高さ位置決め板の複数の垂直母線が延在して配置される位置に載置され、前記水平母線の水平方向の位置を決める水平母線水平方向位置決め当て板と、を備えたものである。【０００９】
また、この発明に係わる配電盤の組立方法は、複数の垂直母線にそれぞれ接続する接続ブロックを有する複数の水平母線を定盤に載置された水平母線高さ位置決め板の水平母線水平方向位置決め当て板の間に挿通させて水平母線基準位置決め当て板に当接させる工程と、前記水平母線と直交して延在する複数の前記垂直母線を前記水平母線の前記接続ブロックの位置にくるように配置する工程と、を備えたものである。
【発明の効果】
【００１０】
この発明に係わる配電盤の組立設備および配電盤の組立方法によれば、簡易な作業で安定した品質で組み立てることができる配電盤の組立設備および配電盤の組立方法を得ることができる。
【図面の簡単な説明】
【００１１】
【図１】この発明の実施の形態１に係わる配電盤の組立設備を示す平面図である。
【図２】この発明の実施の形態１に係わる配電盤の組立設備を示す正面図である。
【図３】この発明の実施の形態１に係わる配電盤の組立設備を示す側面図である。
【図４】この発明の実施の形態1に係わる配電盤の組立設備を示す平面図である。
【図５】この発明の実施の形態1に係わる配電盤の組立設備を示す正面図である。
【図６】この発明の実施の形態1に係わる配電盤の組立設備を示す側面図である。
【図７】この発明の実施の形態1に係わる配電盤の組立設備における垂直母線位置決め冶具を示す平面図である。
【図８】この発明の実施の形態1に係わる配電盤の組立設備における垂直母線位置決め冶具を示す側面図である。
【図９】この発明の実施の形態1に係わる配電盤の組立設備の一部を示す平面図である。
【図１０】この発明の実施の形態1に係わる配電盤の組立設備の一部を示す正面図である。
【図１１】この発明の実施の形態1に係わる配電盤の組立設備の一部を示す側面図である。
【図１２】この発明の実施の形態1に係わる配電盤の組立設備における水平母線ナットを示す平面図である。
【図１３】この発明の実施の形態１に係わる配電盤の組立方法を示す平面図である。
【図１４】この発明の実施の形態1に係わる配電盤の組立方法を示す正面図である。
【図１５】この発明の実施の形態1に係わる配電盤の組立方法を示す側面図である。
【図１６】この発明の実施の形態1に係わる配電盤の組立方法を示す平面図である。
【図１７】この発明の実施の形態１に係わる配電盤の組立方法を示す正面図である。
【図１８】この発明の実施の形態1に係わる配電盤の組立方法を示す側面図である。
【図１９】この発明の実施の形態1に係わる配電盤の組立方法を示す拡大側面図である。
【図２０】この発明の実施の形態1に係わる配電盤の組立方法を示す拡大側面図である。
【図２１】この発明の実施の形態1に係わる配電盤の組立方法を示す側面図である。
【図２２】この発明の実施の形態１に係わる配電盤の組立方法を示す拡大側面図である。
【発明を実施するための形態】
【００１２】
実施の形態１．
以下、この発明の実施の形態１を図１から図１２に基づいて説明するが、各図において、同一、または相当部材、部位については同一符号を付して説明する。図１はこの発明の実施の形態１に係わる配電盤の組立設備を示す平面図である。図２はこの発明の実施の形態１に係わる配電盤の組立設備を示す正面図である。図３はこの発明の実施の形態１に係わる配電盤の組立設備を示す側面図である。図４はこの発明の実施の形態1に係わる配電盤の組立設備を示す平面図である。図５はこの発明の実施の形態1に係わる配電盤の組立設備を示す正面図である。図６はこの発明の実施の形態1に係わる配電盤の組立設備を示す側面図である。図７はこの発明の実施の形態1に係わる配電盤の組立設備における垂直母線位置決め冶具を示す平面図である。図８はこの発明の実施の形態1に係わる配電盤の組立設備における垂直母線位置決め冶具を示す側面図である。図９はこの発明の実施の形態1に係わる配電盤の組立設備の一部を示す平面図である。図１０はこの発明の実施の形態1に係わる配電盤の組立設備の一部を示す正面図である。図１１はこの発明の実施の形態1に係わる配電盤の組立設備の一部を示す側面図である。図１２はこの発明の実施の形態1に係わる配電盤の組立設備における水平母線ナットを示す平面図である。
【００１３】
図１から図１２に基づいて、配電盤の組立設備について述べる。定盤１に複数の水平母線２の基準位置を決める水平母線基準位置決め当て板１１が所定の間隔を置いて複数載置され、図は例えば水平母線２が８個からなる場合を示しており、水平母線基準位置決め当て板１１は１１ａ〜１１ｈの８個の場合を示している。なお、後述する複数の水平母線２は例えば８本配置される場合を示し、水平母線２は２ａ〜２ｈとなる。また、後述する複数の垂直母線３は例えば４本配置される場合を示し、各垂直母線３はＬ字形状の場合を示し、垂直母線３は３ａ〜３ｄとなる。
【００１４】
定盤１に８個の水平母線基準位置決め当て板１１が当接された水平母線２の高さ位置を決める水平母線高さ位置決め板１２を載置する。水平母線高さ位置決め板１２には配電盤の内部フレームを取り付けるための複数の取付用溝１３，１４，１５が水平母線２と直交する方向にそれぞれ設けられている。
【００１５】
水平母線高さ位置決め板１２の複数の垂直母線３が延在して配置される位置に水平母線２の水平方向の位置を決める水平母線水平方向位置決め当て板１６を載置する。水平母線水平方向位置決め当て板１６間にそれぞれ水平母線基準位置決め当て板１１ａ〜１１ｈが対応するように配置されている。水平母線水平方向位置決め当て板１６には後述する垂直母線位置決め冶具１７の例えば係合ピン１７ａ，１７ｂ，１７ｃが係合される例えばピン穴１６ａ，１６ｂ，１６ｃが設けられている。
【００１６】
水平母線水平方向位置決め当て板１６にそれぞれ垂直母線３の位置を決める垂直母線位置決め冶具１７を載置する。垂直母線位置決め冶具１７の裏面側には水平母線水平方向位置決め当て板１６のピン穴１６ａ，１６ｂ，１６ｃに係合される係合ピン１７ａ，１７ｂ，１７ｃが設けられ、垂直母線位置決め冶具１７の表面側には例えば垂直母線３の位置を決める位置決め用ピン１７ｄ，１７ｅが設けられている。
【００１７】
また、垂直母線位置決め冶具１７には複数の逃がし穴１７ｆが設けられており、後述する垂直母線挟持部材３０の第１の垂直母線取付具３１と垂直母線３と第２の垂直母線取付具３２とを締結して固定する締結ボルト３５の先端部の逃げ場所の役目を担う。なお、第１の垂直母線取付具３１には垂直母線位置決め冶具１７の位置決め用ピン１７ｄ，１７ｅに係合させるピン穴３１ａ，３１ｂが設けられている。
【００１８】
後述する各水平母線２ａ〜２ｈには対応する垂直母線３ａ〜３ｄの位置に垂直母線接続ブロック１８〜２５が設けられており、水平母線高さ位置決め板１２の水平母線２ａと垂直母線３ａとの接続位置には逃がし穴１２ａ、水平母線高さ位置決め板１２の水平母線２ｂと垂直母線３ｂとの接続位置には逃がし穴１２ｂ、水平母線高さ位置決め板１２の水平母線２ｃと垂直母線３ｃとの接続位置には逃がし穴１２ｃ、水平母線高さ位置決め板１２の水平母線２ｄと垂直母線３ｄとの接続位置には逃がし穴１２ｄ、水平母線高さ位置決め板１２の水平母線２ｅと垂直母線３ａとの接続位置には逃がし穴１２ｅ、水平母線高さ位置決め板１２の水平母線２ｆと垂直母線３ｂとの接続位置には逃がし穴１２ｆ、水平母線高さ位置決め板１２の水平母線２ｇと垂直母線３ｃとの接続位置には逃がし穴１２ｇ、水平母線高さ位置決め板１２の水平母線２ｈと垂直母線３ｄとの接続位置には逃がし穴１２ｈがそれぞれ設けられ、各水平母線２ａ〜２ｈと各垂直母線３ａ〜３ｄとを接続する後述する接続ボルト２９の先端部の逃げ場所の役目を担う。
【００１９】
取付用溝１３には配電盤内部のフレームを取り付けるための各水平母線２ａ〜２ｈの取付用穴２ａ１〜２ｈ１に対応する位置に逃がし穴１３ａ〜１３ｈが設けられている。取付用溝１４には配電盤内部のフレームを取り付けるための各水平母線２ａ〜２ｈの取付用穴２ａ２〜２ｈ２に対応する位置に逃がし穴１４ａ〜１４ｈが設けられている。取付用溝１５には配電盤内部のフレームを取り付けるための各水平母線２ａ〜２ｈの取付用穴２ａ３〜２ｈ３に対応する位置に逃がし穴１５ａ〜１５ｈが設けられている。
【００２０】
取付用溝１３の逃がし穴１３ａ〜１３ｈに対応する位置に水平母線ナット２６として水平母線ナット２６ａ〜２６ｈがそれぞれ挿入されている。取付用溝１４の逃がし穴１４ａ〜１４ｈに対応する位置に水平母線ナット２７として水平母線ナット２７ａ〜２７ｈがそれぞれ挿入されている。取付用溝１５の逃がし穴１５ａ〜１５ｈに対応する位置に水平母線ナット２８として水平母線ナット２８ａ〜２８ｈがそれぞれ挿入されている。
【００２１】
以上のように、定盤１に水平母線基準位置決め当て板１１と水平母線高さ位置決め板１２を載置し、水平母線高さ位置決め板１２に水平母線水平方向位置決め当て板１６を載置し、水平母線水平方向位置決め当て板１６に垂直母線位置決め冶具１７を載置した組立設備としたので、水平母線２を水平母線水平方向位置決め当て板１６間に挿通して水平母線基準位置決め当て板１１に当接させるだけで、水平母線２の位置決めを行うことができる。そして、水平母線２と接続する垂直母線３は垂直母線位置決め冶具１７により位置決めを行うことができる。
【００２２】
したがって、水平母線２と垂直母線３との組み立てに際し、水平母線２と垂直母線３の位置の調整作業が皆無となり、上述した従来のように多大の時間と労力を要することなく、簡易に短時間に複数の水平母線２と複数の垂直母線３とを図面指示の組立公差内に組み立てることができる。
【００２３】
また、水平母線２と垂直母線３の位置の調整作業が皆無となるので、誰が組み立てても安定した品質で組み立てることができる。
【００２４】
なお、上述した説明では、水平母線水平方向位置決め当て板１６にピン穴１６ａ，１６ｂ，１６ｃを、垂直母線位置決め冶具１７に係合ピン１７ａ，１７ｂ，１７ｃを設け、垂直母線位置決め冶具１７に係合ピン１７ｄ，１７ｅを、第１の垂直母線取付具３１にピン穴３１ａ，３１ｂを設けた場合について述べたが、それぞれピン穴と係合ピンを逆に配置しても同様の効果を奏する。
【００２５】
次に、図１３から図２２に基づいて、配電盤の組立方法について述べる。図１３はこの発明の実施の形態１に係わる配電盤の組立方法を示す平面図である。図１４はこの発明の実施の形態1に係わる配電盤の組立方法を示す正面図である。図１５はこの発明の実施の形態1に係わる配電盤の組立方法を示す側面図であり、図１３から図１５は便宜上垂直母線位置決め冶具を省略した状態を示している。図１６はこの発明の実施の形態1に係わる配電盤の組立方法を示す平面図である。図１７はこの発明の実施の形態１に係わる配電盤の組立方法を示す正面図である。図１８はこの発明の実施の形態1に係わる配電盤の組立方法を示す側面図である。図１９はこの発明の実施の形態1に係わる配電盤の組立方法を示す拡大側面図である。図２０はこの発明の実施の形態1に係わる配電盤の組立方法を示す拡大側面図である。図２１はこの発明の実施の形態1に係わる配電盤の組立方法を示す側面図である。図２２はこの発明の実施の形態１に係わる配電盤の組立方法を示す拡大側面図である。
【００２６】
まず、水平母線高さ位置決め板１２の逃がし穴１２ａ〜１２ｈに対応する位置にそれぞれ垂直母線接続ブロック１８〜２５を有する水平母線２ａ〜２ｈを水平母線水平方向位置決め当て板１６間に挿通させ、水平母線２ａ〜２ｈの先端部を水平母線基準位置決め当て板１１ａ〜１１ｈに当接させる。これにより、水平母線２ａ〜２ｈの位置決めを行うことができる。
【００２７】
次いで、垂直母線３ａが水平母線２ａ，２ｅの垂直母線接続ブロック１８，２２の位置、垂直母線３ｂが水平母線２ｂ，２ｆの垂直母線接続ブロック１９，２３の位置、垂直母線３ｃが水平母線２ｃ，２ｇの垂直母線接続ブロック２０，２４の位置、垂直母線３ｄが水平母線２ｄ，２ｈの垂直母線接続ブロック２１，２５の位置になるよう配列する。
【００２８】
そして、図１９および図２０に示すように、Ｌ字形状の垂直母線３ａ〜３ｄは垂直母線挟持部材３０の第１の垂直母線取付具３１と第２の垂直母線取付具３２とにより一体的に挟まれて相互間の位置決めが行われ、第１の垂直母線取付具３１と垂直母線３ａ〜３ｄとの間、および第２の垂直母線取付具３２と垂直母線３ａ〜３ｄとの間にはそれぞれ第１の垂直母線絶縁部材３３、第２の垂直母線絶縁部材３４が挿着されている。
【００２９】
なお、第１の垂直母線取付具３１、第２の垂直母線取付具３２、第１の垂直母線絶縁部材３３、第２の垂直母線絶縁部材３４の形状は、図１９に示すように、Ｌ字形状の垂直母線３ａ〜３ｄの相互間の位置を決めて保持する形状に成形されている。
【００３０】
このように、第１の垂直母線絶縁部材３３と第２の垂直母線絶縁部材３４を垂直母線３ａ〜３ｄと第１の垂直母線取付具３１、第２の垂直母線取付具３２との間に挟んで締結ボルト３５で一体的に締結することで、垂直母線３ａ〜３ｄ相互間の位置決めを行なうことができる。
【００３１】
締結ボルト３５で一体的に締結した構造体である第１の垂直母線取付具３１のピン穴３１ａ，３１ｂを垂直母線位置決め冶具１７の位置決め用ピン１７ｄ，１７ｅに係合させて水平母線２ａ〜２ｈとの位置決めを行うことができる。
【００３２】
また、垂直母線３ａ〜３ｄのその他の位置決め方法としては、第１の垂直母線取付具３１のピン穴３１ａ，３１ｂを垂直母線位置決め冶具１７の位置決め用ピン１７ｄ，１７ｅに係合させることにより水平母線２ａ〜２ｈとの位置決めを行い、その第１の垂直母線取付具３１に第１の垂直母線絶縁部材３３を取り付け、第１の垂直母線絶縁部材３３に垂直母線３ａ〜３ｄを配列することにより、垂直母線３ａ〜３ｄは水平母線２ａ〜２ｈの垂直母線接続ブロック１８〜２５の位置に配列される。
【００３３】
そして、垂直母線３ａ〜３ｄに第２の垂直母線絶縁部材３４を取り付けて第１の垂直母線絶縁部材３３とともに絶縁を行い、第２の垂直母線絶縁部材３４に第２の垂直母線取付具３２を取り付け、締結ボルト３５により第２の垂直母線取付具３２を第１の垂直母線取付具３１に締結することにより、垂直母線３ａ〜３ｄの相互間の位置決めと水平母線２ａ〜２ｈとの位置決めを行う。なお、締結ボルト３５の先端部は垂直母線位置決め冶具１７の逃がし穴１７ｆに貫通しており、垂直母線位置決め冶具１７とは分離されている。
【００３４】
このように、水平母線２ａ〜２ｈの位置決め、水平母線２ａ〜２ｈと垂直母線３ａ〜３ｄとの位置決めを行った後、水平母線２ａ〜２ｈの垂直母線接続ブロック１８〜２５と垂直母線３ａ〜３ｄとを接続ボルト２９により接続することにより、水平母線２ａ〜２ｈと垂直母線３ａ〜３ｄとの組み立てが完了する。
【００３５】
以上のように、水平母線２ａ〜２ｈを定盤１に載置した水平母線高さ位置決め板１２の水平母線水平方向位置決め当て板１６間に挿通させ、水平母線２ａ〜２ｈの先端部を定盤１に載置した水平母線基準位置決め当て板１１ａ〜１１ｈに当接させ、水平母線２ａ〜２ｈの位置決めを行い、水平母線水平方向位置決め当て板１６に設けた垂直母線位置決め冶具１７に第１の垂直母線取付具３１と第２の垂直母線取付具３２との間に垂直母線３ａ〜３ｄを挟んで締結ボルト３５で一体的に締結して載置し、垂直母線３ａ〜３ｄと水平母線２ａ〜２ｈとの位置決めを行なう組立方法としたので、水平母線２ａ〜２ｈを水平母線水平方向位置決め当て板１６間に挿通して水平母線基準位置決め当て板１１に当接させるだけで、水平母線２ａ〜２ｈの位置決めを行うことができる。そして、水平母線２ａ〜２ｈと接続する垂直母線３ａ〜３ｄは垂直母線位置決め冶具１７により位置決めを行うことができる。
【００３６】
したがって、このような組立方法において、水平母線２ａ〜２ｈと垂直母線３との組み立てに際し、水平母線２ａ〜２ｈと垂直母線３ａ〜３ｄの位置の調整作業が皆無となり、上述した従来のように多大の時間と労力を要することなく、簡易に短時間に複数の水平母線２ａ〜２ｈと複数の垂直母線３ａ〜３ｄとを図面指示の組立公差内に組み立てることができる。
【００３７】
また、このような組立方法において、水平母線２ａ〜２ｈと垂直母線３ａ〜３ｄの位置の調整作業が皆無となるので、誰が組み立てても安定した品質で組み立てることができる。
【００３８】
なお、垂直母線３ａ〜３ｄがＬ字形状の場合について述べたが、必ずしもこれに限定されるものではなく、例えば平板形状とした場合には、第１の垂直母線取付具３１、第２の垂直母線取付具３２、第１の垂直母線絶縁部材３３、第２の垂直母線絶縁部材３４の形状を簡素化することが可能となる。
【００３９】
なお、この発明は、その発明の範囲内において、各実施の形態を自由に組み合わせたり、各実施の形態を適宜、変形、省略することが可能である。
【産業上の利用可能性】
【００４０】
この発明は、簡易な作業で安定した品質で組み立てることができる配電盤の組立設備および配電盤の組立方法の実現に好適である。
【符号の説明】
【００４１】
１  定盤、２  水平母線、２ａ  水平母線、２ｂ  水平母線、２ｃ  水平母線、２ｄ  水平母線、２ｅ  水平母線、２ｆ  水平母線、２ｇ  水平母線、２ｈ  水平母線、３  垂直母線、３ａ  垂直母線、３ｂ  垂直母線、３ｃ  垂直母線、３ｄ  垂直母線、３ｅ  垂直母線、３ｆ  垂直母線、３ｇ  垂直母線、３ｈ  垂直母線、１１  水平母線基準位置決め当て板、１１ａ  水平母線基準位置決め当て板、１１ｂ  水平母線基準位置決め当て板、１１ｃ  水平母線基準位置決め当て板、１１ｄ  水平母線基準位置決め当て板、１１ｅ  水平母線基準位置決め当て板、１１ｆ  水平母線基準位置決め当て板、１１ｇ  水平母線基準位置決め当て板、１１ｈ  水平母線基準位置決め当て板、１２  水平母線高さ位置決め板、１６  水平母線水平方向位置決め当て板、１６ａ  ピン穴、１６ｂ  ピン穴、１６ｃ  ピン穴、１７  垂直母線位置決め冶具、１７ａ  係合ピン、１７ｂ  係合ピン、１７ｃ  係合ピン、１７ｄ  位置決め用ピン、１７ｅ  位置決め用ピン、２９  接続ボルト、３０  垂直母線位置決め挟持部材、３１  第１の垂直母線取付具、３２  第２の垂直母線取付具、３３  第１の垂直母線絶縁部材、３４  第２の垂直母線絶縁部材、３５  締結ボルト。
【図１】
2017217152.tif 000003
【図２】
2017217152.tif 000004
【図３】
2017217152.tif 000005
【図４】
2017217152.tif 000006
【図５】
2017217152.tif 000007
【図６】
2017217152.tif 000008
【図７】
2017217152.tif 000009
【図８】
2017217152.tif 000010
【図９】
2017217152.tif 000011
【図１０】
2017217152.tif 000012
【図１１】
2017217152.tif 000013
【図１２】
2017217152.tif 000014
【図１３】
2017217152.tif 000015
【図１４】
2017217152.tif 000016
【図１５】
2017217152.tif 000017
【図１６】
2017217152.tif 000018
【図１７】
2017217152.tif 000019
【図１８】
2017217152.tif 000020
【図１９】
2017217152.tif 000021
【図２０】
2017217152.tif 000022
【図２１】
2017217152.tif 000023
【図２２】
2017217152.tif 000024
【国際調査報告】
2017217152.tif 000025
2017217152.tif 000026